(57)【要約】【課題】複数のバッテリーを備える携帯型通信装置におけるバッテリー切り換え回路であって、バッテリーの全容量を使い切ることができ、さらに、一方のバッテリーから他方のバッテリーに電圧がかかることを防止するバッテリー切り換え回路を提供する。【解決手段】各バッテリー１３１、１３２と負荷部２０とを接続するスイッチ素子１２１、１２２は相互に直列に接続された二つの電界効果トランジスタ（ＭＯＳＦＥＴ）からなり、二つの電界効果トランジスタの各ゲート電極は切り換えスイッチ１２３に接続され、各ドレイン電極は相互に接続され、各ソース電極は当該電界効果トランジスタに対応するバッテリー１３１、１３２と負荷部２０とに接続されている。【選択図】    図３
2005253255.tif 000002
【特許請求の範囲】
【請求項１】
複数のバッテリーを有する携帯型通信装置において、前記複数のバッテリーの何れか一つを選択し、選択したバッテリーを前記携帯型通信装置の負荷に接続させる携帯型通信装置用バッテリー切り換え回路であって、
前記複数のバッテリーの使用の順番及び前記複数のバッテリーの充電の順番を制御するバッテリー切り換え回路。
【請求項２】
複数のバッテリーを有する携帯型通信装置において、前記複数のバッテリーの何れか一つを選択し、選択したバッテリーを前記携帯型通信装置の負荷に接続させる携帯型通信装置用バッテリー切り換え回路であって、
それぞれが前記複数のバッテリーの各々に接続し、かつ、それぞれが負荷に接続されている前記複数のバッテリーと同数のスイッチ素子と、
前記複数のバッテリーの各々及び前記スイッチ素子の各々に接続され、前記複数のバッテリーの各々の出力電圧を監視し、一のバッテリーの蓄積電力が全て消費された場合には、電力を保有している他のバッテリーに対応するスイッチ素子を活性化させ、前記他のバッテリーを、前記他のバッテリーに対応するスイッチ素子を介して、前記負荷に接続させる切り換えスイッチと、
を備え、
前記スイッチ素子の各々は相互に直列に接続された二つの電界効果トランジスタ（ＭＯＳＦＥＴ）からなり、前記二つの電界効果トランジスタの各ゲート電極は前記切り換えスイッチに接続され、前記二つの電界効果トランジスタのソース電極及びドレイン電極の一方は相互に接続され、他方は当該電界効果トランジスタに対応するバッテリーと前記負荷とに接続されている携帯型通信装置用バッテリー切り換え回路。
【請求項３】
前記電界効果トランジスタはＰ型電界効果トランジスタであることを特徴とする請求項２に記載の携帯型通信装置用バッテリー切り換え回路。
【請求項４】
複数のバッテリーを有する携帯型通信装置において、
前記複数のバッテリーの少なくとも何れか一つが前記携帯型通信装置に対して着脱自在に構成されており、
前記携帯型通信装置は、
前記複数のバッテリーの何れか一つを選択し、選択したバッテリーを前記携帯型通信装置の負荷に接続させる携帯型通信装置用バッテリー切り換え回路を備え、
前記携帯型通信装置用バッテリー切り換え回路は、
それぞれが前記複数のバッテリーの各々に接続し、かつ、それぞれが負荷に接続されている前記複数のバッテリーと同数のスイッチ素子と、
前記複数のバッテリーの各々及び前記スイッチ素子の各々に接続され、前記複数のバッテリーの各々の出力電圧を監視し、一のバッテリーの蓄積電力が全て消費された場合には、電力を保有している他のバッテリーに対応するスイッチ素子を活性化させ、前記他のバッテリーを、前記他のバッテリーに対応するスイッチ素子を介して、前記負荷に接続させるとともに、前記着脱自在に構成されているバッテリーが前記携帯型通信装置に接続されているか否かを判定する切り換えスイッチと、
を備え、
前記スイッチ素子の各々は相互に直列に接続された二つの電界効果トランジスタ（ＭＯＳＦＥＴ）からなり、前記二つの電界効果トランジスタの各ゲート電極は前記切り換えスイッチに接続され、前記二つの電界効果トランジスタのソース電極及びドレイン電極の一方は相互に接続され、他方は当該電界効果トランジスタに対応するバッテリーと前記負荷とに接続されているものである携帯型通信装置。
【請求項５】
前記電界効果トランジスタはＰ型電界効果トランジスタであることを特徴とする請求項４に記載の携帯型通信装置。
【請求項６】
前記携帯型通信装置は携帯型電話端末装置であることを特徴とする請求項４または５に記載の携帯型通信装置。
【請求項７】
複数のバッテリーを有する携帯型通信装置において、前記複数のバッテリーの何れか一つを選択し、選択したバッテリーを前記携帯型通信装置の負荷に接続させる携帯型通信装置用バッテリーの切り換え方法であって、
前記複数のバッテリーのうちの第一のバッテリーの出力電圧を前記携帯型通信装置が動作する最低電圧と比較する過程と、
前記第一のバッテリーの出力電圧が前記最低電圧よりも低いときに、前記複数のバッテリーのうちの第二のバッテリーの出力電圧を前記最低電圧と比較する過程と、
前記第二のバッテリーの出力電圧が前記最低電圧よりも高い場合には、前記第二のバッテリーを前記負荷に接続させる過程と、
前記第二のバッテリーの出力電圧が前記最低電圧よりも低くなったときに、前記第一のバッテリーの出力電圧が回復し、前記最低電圧よりも高くなっている場合には、前記第一のバッテリーを前記負荷に接続させる過程と、
を備える携帯型通信装置用バッテリーの切り換え方法。
【請求項８】
複数のバッテリーを有する携帯型通信装置において、前記複数のバッテリーの何れか一つを選択し、選択したバッテリーを前記携帯型通信装置の負荷に接続させる携帯型通信装置用バッテリーの切り換え方法であって、
前記複数のバッテリーのうちの第一のバッテリーの出力電圧を前記携帯型通信装置が動作する最低電圧と比較する過程と、
前記第一のバッテリーの出力電圧が前記最低電圧よりも低いときに、前記複数のバッテリーのうちの前記第一のバッテリー以外のバッテリーの出力電圧を前記最低電圧と比較し、その出力電圧が前記最低電圧よりも高い場合には、当該バッテリーを前記負荷に接続させる過程を繰り返す過程と、
前記バッテリーの出力電圧が前記最低電圧よりも低くなったときに、前記第一のバッテリーの出力電圧が回復し、前記最低電圧よりも高くなっている場合には、前記第一のバッテリーを前記負荷に接続させる過程と、
を備える携帯型通信装置用バッテリーの切り換え方法。
【請求項９】
前記第一のバッテリーの出力電圧が前記最低電圧よりも高い場合には、前記第一のバッテリーを前記負荷に接続させる過程をさらに備えることを特徴とする請求項７または８に記載の携帯型通信装置用バッテリーの切り換え方法。
【請求項１０】
前記複数のバッテリーのうちの少なくとも何れか一つは前記携帯型通信装置に対して着脱自在に構成されており、
前記切り換え方法は、前記着脱自在のバッテリーが前記携帯型通信装置に対して接続されているか否かを判定する過程をさらに備えることを特徴とする請求項７乃至９の何れか一項に記載の携帯型通信装置用バッテリーの切り換え方法。
【請求項１１】
複数のバッテリーを有する携帯型通信装置において、前記複数のバッテリーの何れか一つを選択し、選択したバッテリーを前記携帯型通信装置の負荷に接続させる携帯型通信装置用バッテリーの切り換え方法をコンピュータに実行させるためのプログラムであって、
前記プログラムが行う処理は、
前記複数のバッテリーのうちの第一のバッテリーの出力電圧を前記携帯型通信装置が動作する最低電圧と比較する第一の処理と、
前記第一のバッテリーの出力電圧が前記最低電圧よりも低いときに、前記複数のバッテリーのうちの第二のバッテリーの出力電圧を前記最低電圧と比較する第二の処理と、
前記第二のバッテリーの出力電圧が前記最低電圧よりも高い場合には、前記第二のバッテリーを前記負荷に接続させる第三の処理と、
前記第二のバッテリーの出力電圧が前記最低電圧よりも低くなったときに、前記第一のバッテリーの出力電圧が回復し、前記最低電圧よりも高くなっている場合には、前記第一のバッテリーを前記負荷に接続させる第四の処理と、
からなるものであるプログラム。
【請求項１２】
複数のバッテリーを有する携帯型通信装置において、前記複数のバッテリーの何れか一つを選択し、選択したバッテリーを前記携帯型通信装置の負荷に接続させる携帯型通信装置用バッテリーの切り換え方法をコンピュータに実行させるためのプログラムであって、
前記プログラムが行う処理は、
前記複数のバッテリーのうちの第一のバッテリーの出力電圧を前記携帯型通信装置が動作する最低電圧と比較する第一の処理と、
前記第一のバッテリーの出力電圧が前記最低電圧よりも低いときに、前記複数のバッテリーのうちの前記第一のバッテリー以外のバッテリーの出力電圧を前記最低電圧と比較し、その出力電圧が前記最低電圧よりも高い場合には、当該バッテリーを前記負荷に接続させる過程を繰り返す第二の処理と、
前記バッテリーの出力電圧が前記最低電圧よりも低くなったときに、前記第一のバッテリーの出力電圧が回復し、前記最低電圧よりも高くなっている場合には、前記第一のバッテリーを前記負荷に接続させる第三の処理と、
からなるものであるプログラム。
【請求項１３】
前記複数のバッテリーのうちの少なくとも何れか一つは前記携帯型通信装置に対して着脱自在に構成されており、
前記プログラムが行う処理は、前記着脱自在のバッテリーが前記携帯型通信装置に対して接続されているか否かを判定する処理をさらに備えることを特徴とする請求項１１または１２に記載のプログラム。
【発明の詳細な説明】
【技術分野】
【０００１】
本発明は携帯型通信装置用バッテリー切り換え回路及び同装置におけるバッテリー切り換え方法に関する。
【背景技術】
【０００２】
バッテリーで駆動される携帯型電話端末装置に代表される携帯型通信装置は、バッテリーの消耗に備えて、通常、主バッテリーの他に予備バッテリーを備えている。
【０００３】
主バッテリーの他に予備バッテリーを備える携帯型通信装置の一例として、特開平６−４５９７９号公報（特許文献１）に記載されている携帯電話端末装置を図７に示す。
【０００４】
図７に示すように、携帯電話端末装置１０１は、無線基地局１１３と無線信号の送受信を行う。無線基地局１１３は移動体電話交換機１１４を備えており、移動体電話交換機１１４はネットワーク１１５を介して加入者１１６との接続処理を行う。すなわち、携帯電話端末装置１０１は、無線基地局１１３及びネットワーク１１５を介して、加入者１１６と通信を行う。
【０００５】
携帯電話端末装置１０１は、主バッテリー１０４と、予備バッテリー１０９と、主バッテリー１０４の出力電圧を監視する出力電圧監視回路１０３と、携帯電話端末装置１０１の電源を主バッテリー１０４から予備バッテリー１０９へ切り換える電源切り換え回路１０６と、ブザー１０２と、受信機１０７と、送信機１０８と、方向性結合器１１０と、アンテナ１１１と、制御回路１０５と、を備えている。
【０００６】
制御回路１０５は、出力電圧監視回路１０３が主バッテリー１０４の出力電圧の低下を検知したとき、送信機８及び方向性結合器１１０を介して、主バッテリー１０４の出力電圧の低下を移動体電話交換機１１４に報知するとともに、電源切り換え回路１０６に対して電源切り換え信号を発信する。
【０００７】
携帯電話端末装置１０１における電源の切り換えは以下のようにして行われる。
【０００８】
出力電圧監視回路１０３が主バッテリー１０４の出力電圧の低下を検知すると、主バッテリー１０４の出力電圧の低下を示す検知信号を制御回路１０５に送信する。検知信号を受信した制御回路１０５は、ブザー１０２を鳴らしてユーザに主バッテリー１０４の出力電圧の低下を知らせるとともに、電源切り換え回路１０６に対して電源切り換え信号を送信し、電源を主バッテリー１０４から予備バッテリー１０９に切り換える。
【０００９】
予備バッテリー１０９が使用されている間に主バッテリー１０４の出力電圧が復旧し、出力電圧監視回路１０３がそれを検知すると、出力電圧監視回路１０３は主バッテリー１０４の出力電圧の復旧を示す検知信号を制御回路１０５に送信する。この検知信号を受信した制御回路１０５は電源切り換え回路１０６に対して電源切り換え信号を送信し、電源を予備バッテリー１０９から主バッテリー１０４に切り換える。
【００１０】
以上のように、主バッテリー１０４が消耗すると、電源が主バッテリー１０４から予備バッテリー１０９に切り換えられ、携帯電話端末装置１０１は中断することなく通信を続行することができる。
【特許文献１】特開平６−４５９７９号公報（段落番号０００９−００１５、図１）
【発明の開示】
【発明が解決しようとする課題】
【００１１】
図８は、図７に示した電源切り換え回路１０６と同じ原理の下に作動する他の従来の電源切り換え回路の一例のブロック図である。
【００１２】
図８に示す電源切り換え回路２０１は、第一のバッテリー２０４と、第二のバッテリー２０５と、第一のバッテリー２０４に接続され、かつ、負荷部２０３に接続されている第一のスイッチ素子と、第二のバッテリー２０５に接続され、かつ、負荷部２０３に接続されている第二のスイッチ素子２０７と、第一のスイッチ素子２０６及び第二のスイッチ素子２０７の何れか一方のみを活性化し、他方を非活性化する切り換えスイッチ２０８と、から構成されている。
【００１３】
例えば、第一のバッテリー２０４が主バッテリーとして使用され、第二のバッテリー２０５が予備バッテリーとして使用されるものとする。
【００１４】
第一のスイッチ素子２０６及び第二のスイッチ素子２０７はともにＰ−ＭＯＳＦＥＴから構成されている。
【００１５】
切り換えスイッチ２０８は、第一のバッテリー２０４の出力電圧Ｖ１を示す信号が入力される第一ターミナルと、第二のバッテリー２０５の出力電圧Ｖ２を示す信号が入力される第二ターミナルと、リセット信号ＲＳＴが入力される第三ターミナルと、第一のスイッチ素子２０６及び第二のスイッチ素子２０７に対して切り換え信号ＳＷを送信する出力ターミナルと、を有している。
【００１６】
第一のバッテリー２０４及び第二のバッテリー２０５は充電回路２０２に接続されており、第一のスイッチ素子２０６及び第二のスイッチ素子２０７は、本電源切り換え回路を含む装置（例えば、携帯電話端末装置その他の携帯型通信装置）の負荷部２０３（例えば、無線信号送受信器や表示装置）に接続されている。
【００１７】
切り換えスイッチ２０８は、第一のスイッチ素子２０６及び第二のスイッチ素子２０７の何れか一方に対して切り換え信号を送信し、第一のスイッチ素子２０６または第二のスイッチ素子２０７を活性化させる。第一のスイッチ素子２０６が活性化されると、第一のスイッチ素子２０６を介して第一のバッテリー２０４が負荷部２０３に接続される。あるいは、第二のスイッチ素子２０７が活性化されると、第一のスイッチ素子２０７を介して第二のバッテリー２０５が負荷部２０３に接続される。
【００１８】
以上のように、切り換えスイッチ２０８によって第一のバッテリー２０４及び第二のバッテリー２０５の何れか一方が負荷部２０３に接続されることにより、負荷部２０３に対して常に電力が供給される。
【００１９】
しかしながら、図８に示した電源切り換え回路２０１は次のような問題点を有していた。
【００２０】
第１の問題点は、第一のバッテリー２０４及び第二のバッテリー２０５の二つのバッテリーを制御する第一のスイッチ素子２０６及び第二のスイッチ素子２０７における寄生ダイオードの電圧降下特性に起因して、第一のバッテリー２０４及び第二のバッテリー２０５の全容量を使い切ることができないという点である。
【００２１】
特に、携帯電話端末装置などの携帯型通信装置に多用されているリチウムイオンバッテリーの標準電圧は平均約３．７Ｖにすぎず、Ｐ−ＭＯＳＦＥＴの寄生ダイオードの電圧降下は無視できない。
【００２２】
第２の問題点は、第一のバッテリー２０４及び第二のバッテリー２０５の二つのバッテリーを制御する第一のスイッチ素子２０６及び第二のスイッチ素子２０７の特性に起因して、一方のバッテリー（例えば、第一のバッテリー２０４）から他方のバッテリー（例えば、第二のバッテリー２０５）に電圧がかかることがあるという点である。
【００２３】
本発明はこれらの問題点に鑑みてなされたものであり、二つのバッテリー（例えば、主バッテリーと予備バッテリー）または三つ以上のバッテリーを備える携帯型通信装置におけるバッテリー切り換え回路であって、バッテリーの全容量を使い切ることができ、さらに、一のバッテリーから他のバッテリーに電圧がかかることを防止することを可能にするバッテリー切り換え回路及びバッテリー切り換え方法を提供することを目的とする。
【課題を解決するための手段】
【００２４】
この目的を達成するため、本発明は、複数のバッテリーを有する携帯型通信装置において、前記複数のバッテリーの何れか一つを選択し、選択したバッテリーを前記携帯型通信装置の負荷に接続させる携帯型通信装置用バッテリー切り換え回路であって、前記複数のバッテリーの使用の順番及び前記複数のバッテリーの充電の順番を制御するバッテリー切り換え回路を提供する。
【００２５】
また、本発明は、複数のバッテリーを有する携帯型通信装置において、前記複数のバッテリーの何れか一つを選択し、選択したバッテリーを前記携帯型通信装置の負荷に接続させる携帯型通信装置用バッテリー切り換え回路であって、それぞれが前記複数のバッテリーの各々に接続し、かつ、それぞれが負荷に接続されている前記複数のバッテリーと同数のスイッチ素子と、前記複数のバッテリーの各々及び前記スイッチ素子の各々に接続され、前記複数のバッテリーの各々の出力電圧を監視し、一のバッテリーの蓄積電力が全て消費された場合には、電力を保有している他のバッテリーに対応するスイッチ素子を活性化させ、前記他のバッテリーを、前記他のバッテリーに対応するスイッチ素子を介して、前記負荷に接続させる切り換えスイッチと、を備え、前記スイッチ素子の各々は相互に直列に接続された二つの電界効果トランジスタ（ＭＯＳＦＥＴ）からなり、前記二つの電界効果トランジスタの各ゲート電極は前記切り換えスイッチに接続され、前記二つの電界効果トランジスタのソース電極及びドレイン電極の一方は相互に接続され、他方は当該電界効果トランジスタに対応するバッテリーと前記負荷とに接続されている携帯型通信装置用バッテリー切り換え回路を提供する。
【００２６】
前記電界効果トランジスタとしては、例えば、Ｐ型電界効果トランジスタを用いることができる。
【００２７】
さらに、本発明は、複数のバッテリーを有する携帯型通信装置において、前記複数のバッテリーの少なくとも何れか一つが前記携帯型通信装置に対して着脱自在に構成されており、前記携帯型通信装置は、前記複数のバッテリーの何れか一つを選択し、選択したバッテリーを前記携帯型通信装置の負荷に接続させる携帯型通信装置用バッテリー切り換え回路を備え、前記携帯型通信装置用バッテリー切り換え回路は、それぞれが前記複数のバッテリーの各々に接続し、かつ、それぞれが負荷に接続されている前記複数のバッテリーと同数のスイッチ素子と、前記複数のバッテリーの各々及び前記スイッチ素子の各々に接続され、前記複数のバッテリーの各々の出力電圧を監視し、一のバッテリーの蓄積電力が全て消費された場合には、電力を保有している他のバッテリーに対応するスイッチ素子を活性化させ、前記他のバッテリーを、前記他のバッテリーに対応するスイッチ素子を介して、前記負荷に接続させるとともに、前記着脱自在に構成されているバッテリーが前記携帯型通信装置に接続されているか否かを判定する切り換えスイッチと、を備え、前記スイッチ素子の各々は相互に直列に接続された二つの電界効果トランジスタ（ＭＯＳＦＥＴ）からなり、前記二つの電界効果トランジスタの各ゲート電極は前記切り換えスイッチに接続され、前記二つの電界効果トランジスタのソース電極及びドレイン電極の一方は相互に接続され、他方は当該電界効果トランジスタに対応するバッテリーと前記負荷とに接続されているものである携帯型通信装置を提供する。
【００２８】
前記携帯型通信装置は、例えば、携帯型電話端末装置である。
【００２９】
さらに、本発明は、複数のバッテリーを有する携帯型通信装置において、前記複数のバッテリーの何れか一つを選択し、選択したバッテリーを前記携帯型通信装置の負荷に接続させる携帯型通信装置用バッテリーの切り換え方法であって、前記複数のバッテリーのうちの第一のバッテリーの出力電圧を前記携帯型通信装置が動作する最低電圧と比較する過程と、前記第一のバッテリーの出力電圧が前記最低電圧よりも低いときに、前記複数のバッテリーのうちの第二のバッテリーの出力電圧を前記最低電圧と比較する過程と、前記第二のバッテリーの出力電圧が前記最低電圧よりも高い場合には、前記第二のバッテリーを前記負荷に接続させる過程と、前記第二のバッテリーの出力電圧が前記最低電圧よりも低くなったときに、前記第一のバッテリーの出力電圧が回復し、前記最低電圧よりも高くなっている場合には、前記第一のバッテリーを前記負荷に接続させる過程と、を備える携帯型通信装置用バッテリーの切り換え方法を提供する。
【００３０】
さらに、本発明は、複数のバッテリーを有する携帯型通信装置において、前記複数のバッテリーの何れか一つを選択し、選択したバッテリーを前記携帯型通信装置の負荷に接続させる携帯型通信装置用バッテリーの切り換え方法であって、前記複数のバッテリーのうちの第一のバッテリーの出力電圧を前記携帯型通信装置が動作する最低電圧と比較する過程と、前記第一のバッテリーの出力電圧が前記最低電圧よりも低いときに、前記複数のバッテリーのうちの前記第一のバッテリー以外のバッテリーの出力電圧を前記最低電圧と比較し、その出力電圧が前記最低電圧よりも高い場合には、当該バッテリーを前記負荷に接続させる過程を繰り返す過程と、前記バッテリーの出力電圧が前記最低電圧よりも低くなったときに、前記第一のバッテリーの出力電圧が回復し、前記最低電圧よりも高くなっている場合には、前記第一のバッテリーを前記負荷に接続させる過程と、を備える携帯型通信装置用バッテリーの切り換え方法を提供する。
【００３１】
本方法は、前記第一のバッテリーの出力電圧が前記最低電圧よりも高い場合には、前記第一のバッテリーを前記負荷に接続させる過程をさらに備えることが好ましい。
【００３２】
前記複数のバッテリーのうちの少なくとも何れか一つが前記携帯型通信装置に対して着脱自在に構成されている場合には、本方法は、前記着脱自在のバッテリーが前記携帯型通信装置に対して接続されているか否かを判定する過程をさらに備えることが好ましい。
【００３３】
また、本発明は、複数のバッテリーを有する携帯型通信装置において、前記複数のバッテリーの何れか一つを選択し、選択したバッテリーを前記携帯型通信装置の負荷に接続させる携帯型通信装置用バッテリーの切り換え方法をコンピュータに実行させるためのプログラムであって、前記プログラムが行う処理は、前記複数のバッテリーのうちの第一のバッテリーの出力電圧を前記携帯型通信装置が動作する最低電圧と比較する第一の処理と、前記第一のバッテリーの出力電圧が前記最低電圧よりも低いときに、前記複数のバッテリーのうちの第二のバッテリーの出力電圧を前記最低電圧と比較する第二の処理と、前記第二のバッテリーの出力電圧が前記最低電圧よりも高い場合には、前記第二のバッテリーを前記負荷に接続させる第三の処理と、前記第二のバッテリーの出力電圧が前記最低電圧よりも低くなったときに、前記第一のバッテリーの出力電圧が回復し、前記最低電圧よりも高くなっている場合には、前記第一のバッテリーを前記負荷に接続させる第四の処理と、からなるものであるプログラムを提供する。
【００３４】
さらに、本発明は、複数のバッテリーを有する携帯型通信装置において、前記複数のバッテリーの何れか一つを選択し、選択したバッテリーを前記携帯型通信装置の負荷に接続させる携帯型通信装置用バッテリーの切り換え方法をコンピュータに実行させるためのプログラムであって、前記プログラムが行う処理は、前記複数のバッテリーのうちの第一のバッテリーの出力電圧を前記携帯型通信装置が動作する最低電圧と比較する第一の処理と、前記第一のバッテリーの出力電圧が前記最低電圧よりも低いときに、前記複数のバッテリーのうちの前記第一のバッテリー以外のバッテリーの出力電圧を前記最低電圧と比較し、その出力電圧が前記最低電圧よりも高い場合には、当該バッテリーを前記負荷に接続させる過程を繰り返す第二の処理と、前記バッテリーの出力電圧が前記最低電圧よりも低くなったときに、前記第一のバッテリーの出力電圧が回復し、前記最低電圧よりも高くなっている場合には、前記第一のバッテリーを前記負荷に接続させる第三の処理と、からなるものであるプログラムを提供する。
【００３５】
前記複数のバッテリーのうちの少なくとも何れか一つが前記携帯型通信装置に対して着脱自在に構成されている場合には、前記プログラムが行う処理は、前記着脱自在のバッテリーが前記携帯型通信装置に対して接続されているか否かを判定する処理をさらに備えることが好ましい。
【発明の効果】
【００３６】
本発明によれば、以下に記載するような効果を奏する。
【００３７】
第１の効果は、本発明によれば、一方のバッテリーを使用しているときに他方のバッテリーは使用されないので、バッテリーに蓄積された電力を制限範囲内で使い切ることができることである。
【００３８】
第２の効果は、本発明によれば、一方のバッテリーを使用しているときに他方のバッテリーは使用をされないので、使用していないバッテリーの電圧が使用しているバッテリーに作用することを防止できることである。
【発明を実施するための最良の形態】
【００３９】
（第一の実施形態）
図１は、本発明の第一の実施形態に係るバッテリー切り換え回路が適用される携帯電話装置１の構造を示すブロック図である。
【００４０】
携帯電話装置１は電源部１０と負荷部２０とを備えている。電源部１０は負荷部２０に対する電源として機能し、負荷部２０に対して電力を供給する。
【００４１】
図１に示すように、負荷部２０は、中央処理装置（ＣＰＵ）２１と、中央処理装置２１の制御プログラム及び各種データを記憶するメモリ２２と、中央処理装置２１に対してデータを入力するための複数のキーを備えるキー入力部２３と、無線信号の送受信及び復変調を行う無線信号処理部（ＲＦ）２４と、キー入力部２３を介して入力されたデータ及び受信した無線信号の内容を表示する液晶表示装置（ＬＣＤ）２５と、無線信号受信時に着信音を発する音源２６と、カメラ機構２７と、を備えている。
【００４２】
メモリ２２、キー入力部２３、無線信号処理部（ＲＦ）２４、液晶表示装置（ＬＣＤ）２５、音源２６及びカメラ機構２７の動作は中央処理装置２１により制御される。
【００４３】
図２は、電源部１０の構造を示すブロック図である。
【００４４】
図２に示すように、電源部１０は、充電回路１１と、複数のバッテリーを備えるバッテリー部１３と、バッテリー切り換え回路１２と、から構成されている。
【００４５】
充電回路１１はバッテリー部１３の複数のバッテリーに対して充電を行う。バッテリー切り換え回路１２は、以下に詳述するように、バッテリー部１３に含まれる複数のバッテリーの何れか一つを選択し、選択したバッテリーを負荷部２０に接続させるとともに、複数のバッテリーの使用の順番及び複数のバッテリーの充電の順番を制御する。
【００４６】
図３は、バッテリー部１３及びバッテリー切り換え回路１２の構造を示すブロック図である。
【００４７】
バッテリー部１３は、第一バッテリー１３１と第二バッテリー１３２とを備えている。第一バッテリー１３１及び第二バッテリー１３２の各々の正極は充電回路１１及びバッテリー切り換え回路１２に接続され、負極は接地されている。第一バッテリー１３１及び第二バッテリー１３２は、例えば、リチウムイオン電池で構成されている。また、例えば、第一バッテリー１３１は主バッテリーとして使用され、第二バッテリー１３２は予備バッテリーとして使用される。
【００４８】
バッテリー切り換え回路１２は、第一のバッテリー１３１の正極及び負荷部２０に接続されている第一のスイッチ素子１２１と、第二のバッテリー１３２の正極及び負荷部２０に接続されている第二のスイッチ素子１２２と、切り換えスイッチ１２３と、切り換えスイッチ１２３と第二のスイッチ素子１２２との間に配置されたインバータ１２４と、を備えている。
【００４９】
すなわち、スイッチ素子はバッテリーと同数設けられており、スイッチ素子の各々が複数のバッテリーの各々に接続されている。
【００５０】
切り換えスイッチ１２３は、第一のバッテリー１３１、第二のバッテリー１３２、第一のスイッチ素子１２１及び第二のスイッチ素子１２２に接続されている。切り換えスイッチ１２３は、第一のバッテリー１３１の出力電圧Ｖ１を示す信号が入力される第一ターミナルと、第二のバッテリー１３２の出力電圧Ｖ２を示す信号が入力される第二ターミナルと、リセット信号ＲＳＴが入力される第三ターミナルと、第一のスイッチ素子１２１及び第二のスイッチ素子１２２に対して切り換え信号ＳＷを送信する出力ターミナルと、を有している。
【００５１】
第一のスイッチ素子１２１は相互に直列に接続された二つのＰチャネルＭＯＳ型シリコン電界効果トランジスタ（Ｐ−ＭＯＳＦＥＴ）から構成されている。二つのＰチャネルＭＯＳ型シリコン電界効果トランジスタの各ゲート電極Ｇは切り換えスイッチ１２３の出力ターミナルＳＷに接続されている。また、二つのＰチャネルＭＯＳ型シリコン電界効果トランジスタの各ドレイン電極Ｄは相互に接続されており、二つのＰチャネルＭＯＳ型シリコン電界効果トランジスタのうちの一方のＰチャネルＭＯＳ型シリコン電界効果トランジスタのソース電極Ｓは第一のバッテリー１３１に、他方のＰチャネルＭＯＳ型シリコン電界効果トランジスタのソース電極Ｓは負荷部２０に接続されている。
【００５２】
第二のスイッチ素子１２２も、第一のスイッチ素子１２１と同様に、相互に直列に接続された二つのＰチャネルＭＯＳ型シリコン電界効果トランジスタ（Ｐ−ＭＯＳＦＥＴ）から構成されている。二つのＰチャネルＭＯＳ型シリコン電界効果トランジスタの各ゲート電極Ｇは切り換えスイッチ１２３の出力ターミナルＳＷに接続されている。また、二つのＰチャネルＭＯＳ型シリコン電界効果トランジスタの各ドレイン電極Ｄは相互に接続されており、二つのＰチャネルＭＯＳ型シリコン電界効果トランジスタのうちの一方のＰチャネルＭＯＳ型シリコン電界効果トランジスタのソース電極Ｓは第二のバッテリー１３２に、他方のＰチャネルＭＯＳ型シリコン電界効果トランジスタのソース電極Ｓは負荷部２０に接続されている。
【００５３】
切り換えスイッチ１２３は、例えば、集積回路（ＩＣ）から構成される。
【００５４】
以下に述べるように、切り換えスイッチ１２３は第一のバッテリー１３１及び第二のバッテリー１３２の各々の出力電圧を監視し例えば、第一のバッテリー１３１の蓄積電力が全て消費された場合には、電力を保有している第二のバッテリー１３２に対応する第二のスイッチ素子１２２を活性化させ、第二のバッテリー１３２を、第二のスイッチ素子１２２を介して、負荷部２０に接続させる。
【００５５】
図４は、本実施形態におけるバッテリー切り換え回路１２の動作を示すフローチャートである。以下、図４を参照して、バッテリー切り換え回路１２の動作を説明する。
【００５６】
携帯電話装置１の電源スイッチがオンになると、バッテリー切り換え回路１２は動作を開始する（ステップＳ１０１）。
【００５７】
携帯電話装置１に対して電源が投入された後、リセット信号ＲＳＴがアクティブになり、切り換えスイッチ１２３がリセットされる。
【００５８】
次いで、切り換えスイッチ１２３は、第一のバッテリー１３１の出力電圧Ｖ１を示す信号を第一ターミナルにおいて受信し、第一のバッテリー１３１の出力電圧Ｖ１が携帯電話装置１が動作する最低電圧Ｖ０よりも高いか否かを判定する（ステップＳ１０２）。
【００５９】
第一のバッテリー１３１の出力電圧Ｖ１が最低電圧Ｖ０よりも高い場合（Ｖ１＞Ｖ０）には（ステップＳ１０２のＹＥＳ）、第一のバッテリー１３１には携帯電話装置１を正常に動作させる電力が残っていることを意味する。この場合には、切り換えスイッチ１２３は切り換え信号ＳＷをロー（Ｌｏｗ）レベルに設定し、第一のスイッチ素子１２１及び第二のスイッチ素子１２２に送信する（ステップＳ１０３）。
【００６０】
第一のスイッチ素子１２１を構成する二つのＰチャネルＭＯＳ型シリコン電界効果トランジスタの各ゲートに対しては、ローレベルの切り換え信号ＳＷはそのまま送信される。これに対して、第二のスイッチ素子１２２を構成する二つのＰチャネルＭＯＳ型シリコン電界効果トランジスタの各ゲートに対しては、ローレベルの切り換え信号ＳＷはインバータ１２４を通過するため反転し、ハイ（Ｈｉｇｈ）レベルの切り換え信号となって、送信される。
【００６１】
この結果、第一のスイッチ素子１２１を構成する二つのＰチャネルＭＯＳ型シリコン電界効果トランジスタのドレインとソースとの間はＯＮ状態となり、第二のスイッチ素子１２２を構成する二つのＰチャネルＭＯＳ型シリコン電界効果トランジスタのドレインとソースとの間はＯＦＦ状態となる（ステップＳ１０４）。従って、第一のバッテリー１３１の出力電圧Ｖ１は、ＯＮ状態になっている第一のスイッチ素子１２１を介して、負荷部２０に印加される。これに対して、第二のスイッチ素子１２２はＯＦＦ状態となっているため、第二のバッテリー１３２の出力電圧Ｖ２は負荷部２０には印加されない。すなわち、携帯電話装置１は第一のバッテリー１３１を電源として使用している状態になる。
【００６２】
第一のバッテリー１３１が使用されることに伴い、第一のバッテリー１３１の出力電圧Ｖ１は徐々に低下する。
【００６３】
切り換え信号ＳＷを送信した後、切り換えスイッチ１２３は第一のバッテリー１３１の出力電圧Ｖ１が最低電圧Ｖ０よりも低いか否か（Ｖ１＜Ｖ０）を常に監視する（ステップＳ１０５）。この監視は第一のバッテリー１３１の出力電圧Ｖ１が最低電圧Ｖ０よりも低くなるまで（Ｖ１＜Ｖ０）、継続される（ステップＳ１０５のＮＯ）。
【００６４】
第一のバッテリー１３１の出力電圧Ｖ１が最低電圧Ｖ０よりも低くなっている場合（ステップＳ１０５のＹＥＳ）、あるいは、第一のバッテリー１３１の出力電圧Ｖ１が最低電圧Ｖ０よりも高くない場合（Ｖ１≦Ｖ０）には（ステップＳ１０２のＮＯ）、切り換えスイッチ１２３は、第二のバッテリー１３２の出力電圧Ｖ２を示す信号を第二ターミナルにおいて受信し、第二のバッテリー１３２の出力電圧Ｖ２が携帯電話装置１が動作する最低電圧Ｖ０よりも高いか否かを判定する（ステップＳ１０６）。
【００６５】
第二のバッテリー１３２の出力電圧Ｖ２が最低電圧Ｖ０よりも高くない場合（Ｖ２≦Ｖ０）には（ステップＳ１０６のＮＯ）、第一のバッテリー１３１の出力電圧Ｖ１及び第二のバッテリー１３２の出力電圧Ｖ２ではもはや携帯電話装置１を動作させることができないため、携帯電話装置１をパワーダウンさせる（ステップＳ１１１）。
【００６６】
第二のバッテリー１３２の出力電圧Ｖ２が最低電圧Ｖ０よりも高い場合（Ｖ２＞Ｖ０）には（ステップＳ１０６のＹＥＳ）、第二のバッテリー１３２には携帯電話装置１を正常に動作させる電力が残っていることを意味する。この場合には、切り換えスイッチ１２３は切り換え信号ＳＷをハイレベルに設定し、第一のスイッチ素子１２１及び第二のスイッチ素子１２２に送信する（ステップＳ１０７）。
【００６７】
第一のスイッチ素子１２１に対しては、ハイレベルの切り換え信号ＳＷはそのまま送信される。これに対して、第二のスイッチ素子１２２に対しては、ハイレベルの切り換え信号ＳＷはインバータ１２４を通過することにより反転し、ローレベルの切り換え信号となって、送信される。
【００６８】
この結果、第一のスイッチ素子１２１はＯＦＦ状態となり、第二のスイッチ素子１２２はＯＮ状態となる（ステップＳ１０８）。従って、第一のバッテリー１３２の出力電圧Ｖ２は、ＯＮ状態になっている第二のスイッチ素子１２２を介して、負荷部２０に印加される。これに対して、第一のスイッチ素子１２１はＯＦＦ状態となっているため、第一のバッテリー１３１の出力電圧Ｖ１は負荷部２０には印加されない。すなわち、携帯電話装置１は第二のバッテリー１３２を電源として使用している状態になる。
【００６９】
第二のバッテリー１３２が使用されることに伴い、第二のバッテリー１３２の出力電圧Ｖ２は徐々に低下する。
【００７０】
切り換え信号ＳＷを送信した後、切り換えスイッチ１２３は第二のバッテリー１３２の出力電圧Ｖ２が最低電圧Ｖ０よりも低いか否か（Ｖ２＜Ｖ０）を常に監視する（ステップＳ１０９）。この監視は第二のバッテリー１３２の出力電圧Ｖ２が最低電圧Ｖ０よりも低くなるまで（Ｖ２＜Ｖ０）、継続される（ステップＳ１０９のＮＯ）。
【００７１】
充電回路１１は最初に第一のバッテリー１３１を充電し、第一のバッテリー１３１の充電完了後に、第二のバッテリー１３２の充電を開始するように構成されている。
【００７２】
第一のバッテリー１３１が電力を消耗し、すなわち、第一のバッテリー１３１の出力電圧Ｖ１が最低電圧Ｖ０よりも低くなったために（ステップＳ１０５のＹＥＳ）、携帯電話装置１が第二のバッテリー１３２を電源として使用している間に、充電回路１１は第一のバッテリー１３１の充電を開始する。第二のバッテリー１３２が使用されている間に、第一のバッテリー１３１の充電が完了すると、第二のバッテリー１３２が電力を消耗した場合、すなわち、第二のバッテリー１３２の出力電圧Ｖ２が最低電圧Ｖ０よりも低くなった場合には、第一のバッテリー１３１は既に使用可能の状態になっている。
【００７３】
このため、切り換えスイッチ１２３は、第二のバッテリー１３２の出力電圧Ｖ２が最低電圧Ｖ０よりも低くなっている場合には（ステップＳ１０９のＹＥＳ）、第一のバッテリー１３１の出力電圧Ｖ１が最低電圧Ｖ０よりも高くなっているか否かを判定する（ステップＳ１１０）。
【００７４】
第一のバッテリー１３１の出力電圧Ｖ１が最低電圧Ｖ０よりも高くない場合（Ｖ１≦Ｖ０）には（ステップＳ１１０６のＮＯ）、第一のバッテリー１３１の出力電圧Ｖ１及び第二のバッテリー１３２の出力電圧Ｖ２ではもはや携帯電話装置１を動作させることができないため、携帯電話装置１をパワーダウンさせる（ステップＳ１１１）。
【００７５】
第一のバッテリー１３１の出力電圧Ｖ１が最低電圧Ｖ０よりも高くなっている場合（Ｖ１＞Ｖ０）には（ステップＳ１１０のＹＥＳ）、第一のバッテリー１３１には携帯電話装置１を正常に動作させる電力が回復していることを意味する。この場合には、切り換えスイッチ１２３は切り換え信号ＳＷをローレベルに設定し、第一のスイッチ素子１２１及び第二のスイッチ素子１２２に送信する（ステップＳ１０３）。
【００７６】
以後、携帯電話装置１は第一のバッテリー１３１を電源として使用する（ステップＳ１０４）。
【００７７】
このようにして再び第一のバッテリー１３１の使用が開始されると、充電回路１１はその間に第二のバッテリー１３２の充電を行い、第一のバッテリー１３１の出力電圧Ｖ１が最低電圧Ｖ０よりも低くなった時点においては（ステップＳ１０５のＹＥＳ）、第二のバッテリー１３２の充電を完了している。従って、第二のバッテリー１３２の出力電圧Ｖ２は最低電圧Ｖ０よりも高くなっているため（ステップＳ１０６のＹＥＳ）、第一のバッテリー１３１に代えて、第二のバッテリー１３２が用いられる（ステップＳ１０７、Ｓ１０８）。
【００７８】
このように、本実施形態に係るバッテリー切り換え回路１２によれば、第一のバッテリー１３１、第二のバッテリー１３２の順に使用が開始され、さらに、同じ順番で充電が行われる。このため、複数のバッテリーの効率的な使用及び充電を実現することができる。
【００７９】
本実施形態に係るバッテリー切り換え回路１２においては、第一のスイッチ素子１２１及び第二のスイッチ素子１２２はそれぞれ相互に直列に接続された二つのＰチャネルＭＯＳ型シリコン電界効果トランジスタ（Ｐ−ＭＯＳＦＥＴ）から構成されている。以下、その理由を説明する。
【００８０】
例えば、第一のバッテリー１３１が使用されるにつれて、第一のバッテリー１３１の出力電圧Ｖ１が低下する場合を想定する。
【００８１】
この場合、図８に示した従来の電源切り換え回路２０１のように、第二のスイッチ素子２０７が１段のＰ−ＭＯＳＦＥＴからなるものである場合、第二のバッテリー２０５の電圧をＶ２、ＭＯＳＦＥＴの寄生ダイオードの電圧降下をＶＤとすると、
Ｖ１＜Ｖ２―ＶＤ    （１）
の場合には、第二のバッテリー２０５（出力電圧Ｖ２）から第一のバッテリー２０４（出力電圧Ｖ１）に対して電圧が作用する。従って、式（１）が成り立つ以前に、第一のバッテリー２０４の使用を中止し、第二のバッテリー２０５の使用を開始することが必要になる。
【００８２】
しかしながら、その場合には、第一のバッテリー２０４は、その出力電圧が（Ｖ１−Ｖ０）になるまで使用することはできず、その出力電圧が（Ｖ１−Ｖ２＋ＶＤ）になるまでしか使用することができない。一般には、（Ｖ１−Ｖ０）＜（Ｖ１−Ｖ２＋ＶＤ）であるから、第一のバッテリー２０４の使用効率は低下する。
【００８３】
これに対して、本実施形態に係るバッテリー切り換え回路１２のように、第二のスイッチ素子１２２を２段のＰ−ＭＯＳＦＥＴから構成することにより、ＭＯＳＦＥＴの特性上、スイッチがＯＦＦ状態のときには、第二のバッテリー２０５の出力電圧Ｖ２が第一のバッテリー２０４に作用してしまうことがない。
【００８４】
それに加えて、第一のバッテリー２０４はその出力電圧が（Ｖ１−Ｖ０）になるまで使用できることになる。
【００８５】
以上のように、本実施形態に係るバッテリー切り換え回路１２は次のような効果を奏する。
【００８６】
第一に、バッテリー切り換え回路１２は、一方のバッテリー（例えば、第一のバッテリー１３１）を使用しているときには他方のバッテリー（例えば、第二のバッテリー１３２）の使用を中止するため、使用している一方のバッテリーの蓄積電力を制限範囲内で使い切ることができる。
【００８７】
第二に、バッテリー切り換え回路１２は、一方のバッテリー（例えば、第一のバッテリー１３１）を使用しているときには他方のバッテリー（例えば、第二のバッテリー１３２）の使用を中止するため、使用されていないバッテリー（第二のバッテリー１３２）の電圧が使用されているバッテリー（第一のバッテリー１３１）にかかることを防止することができる。
【００８８】
（第二の実施形態）
図５は、本発明の第二の実施形態に係る携帯電話装置における電源部３０の構造を示すブロック図である。
【００８９】
本実施形態における電源部３０は、第一の実施形態における電源部１０と比較して、第一のバッテリー１３１Ａ（電源部１０における第一のバッテリー１３１に対応するバッテリー）が携帯電話装置に対して取り外しが可能であり、この第一のバッテリー１３１Ａはスイッチ部３１を介してバッテリー部１３に対して接続されている点が異なっている。この点以外に関しては、本実施形態における電源部３０は第一の実施形態における電源部１０と同様の構造を有している。
【００９０】
スイッチ部３１は切り換えスイッチ１２３に接続されており、第一のバッテリー１３１Ａがスイッチ部３１に接続されている場合には、第一のバッテリー１３１Ａの出力電圧Ｖ１を示す信号を切り換えスイッチ１２３に送信する。第一のバッテリー１３１Ａがスイッチ部３１に接続されていない場合には、電圧０を示す信号が切り換えスイッチ１２３に送信される。
【００９１】
図６は、第二の実施形態におけるバッテリー切り換え回路１２の動作を示すフローチャートである。以下、図６を参照して、第二の実施形態におけるバッテリー切り換え回路１２の動作を説明する。
【００９２】
携帯電話装置の電源スイッチがオンになると、バッテリー切り換え回路１２は動作を開始する（ステップＳ１０１）。
【００９３】
携帯電話装置に対して電源が投入された後、リセット信号ＲＳＴがアクティブになり、切り換えスイッチ１２３がリセットされる。
【００９４】
次いで、切り換えスイッチ１２３は、第一のバッテリー１３１Ａの出力電圧Ｖ１を示す信号を受信して、その信号に示される電圧Ｖ１が０であるか否かを判定する（ステップＳ２０１）。
【００９５】
信号に示される電圧Ｖ１が０である場合（ステップＳ２０１のＹＥＳ）、切り換えスイッチ１２３は、第一のバッテリー１３１Ａがスイッチ部３１に接続されていないものと判断し、第二のバッテリー１３２の出力電圧Ｖ２を示す信号を第二ターミナルにおいて受信し、第二のバッテリー１３２の出力電圧Ｖ２が携帯電話装置１が動作する最低電圧Ｖ０よりも高いか否かを判定する（ステップＳ１０６）。
【００９６】
信号に示される電圧Ｖ１が０ではない場合には（ステップＳ２０１のＮＯ）、切り換えスイッチ１２３は、第一のバッテリー１３１Ａがスイッチ部３１に接続されているものと判断し、図４に示したステップＳ１０２からステップＳ１１１までを実行する。
【００９７】
以上のように、本実施形態に係る携帯電話装置によれば、第一のバッテリー１３１Ａが着脱自在に構成されているため、第一のバッテリー１３１Ａを携帯電話装置から取り外して、他の高速充電器で充電することが可能になる。あるいは、充電回路１１による第一のバッテリー１３１Ａの充電が間に合わない場合には、第一のバッテリー１３１Ａと同一のバッテリー（充電済みのもの）をスイッチ部３１に接続させることもできる。また、第一のバッテリー１３１Ａが故障した場合には、新品のバッテリーに交換することも可能である。
【００９８】
上記の第一及び第二の実施形態においては、第一のスイッチ素子１２１及び第二のスイッチ素子１２２は何れもＰチャネルＭＯＳ型シリコン電界効果トランジスタ（Ｐ−ＭＯＳＦＥＴ）から構成されているものとしたが、ＮチャネルＭＯＳ型シリコン電界効果トランジスタ（Ｎ−ＭＯＳＦＥＴ）から構成することも可能である。
【００９９】
また、上記の第一及び第二の実施形態においては、バッテリー部１３は二つのバッテリー１３１（または１３１Ａ）、１３２を有するものとしたが、バッテリー部１３が備えるバッテリーの数は２には限定されない。バッテリー部１３は３以上のバッテリーを有するものとして構成することができる。この場合、使用するバッテリー及び充電するバッテリーは切り換えスイッチ１２３が任意に選択することが可能である。例えば、バッテリー部１３が３個のバッテリーを備える場合、第一のバッテリーを使用している間に、第二及び第三のバッテリーの双方を充電してもよく、あるいは、第二及び第三のバッテリーの一方を充電してもよい。
【０１００】
また、第二の実施形態において、バッテリー部１３は１個の着脱自在なバッテリー１３１Ａを有するものとしたが、バッテリー部１３が３個以上のバッテリーを備えるものである場合には、２個以上の着脱自在なバッテリーを有するものとすることができる。
【０１０１】
また、上記の第一及び第二の実施形態においては、本発明に係るバッテリー切り換え回路を適用する対象として携帯電話装置を例に挙げたが、本発明に係るバッテリー切り換え回路の適用対象は携帯電話装置には限定されない。例えば、ＰＤＡ（Ｐｅｒｓｏｎａｌ  Ｄｉｇｉｔａｌ  Ａｓｓｉｓｔａｎｔ）その他の携帯型通信装置にも適用することが可能である。
【０１０２】
上記の第一及び第二の実施形態における切り換えスイッチ１２３の動作は、コンピュータが読み取り可能な言語で記述されたコンピュータプログラムによっても実行可能である。
【０１０３】
コンピュータプログラムにより切り換えスイッチ１２３を動作させる場合には、例えば、切り換えスイッチ１２３にプログラム記憶用のメモリを設け、そのメモリにコンピュータプログラムを格納する。切り換えスイッチ１２３はメモリからそのコンピュータプログラムを読み出すことにより、そのコンピュータプログラムに従って、上述のような動作を実行する。
【０１０４】
さらには、そのようなコンピュータプログラムを格納した記憶媒体を切り換えスイッチ１２３にセットすることにより、切り換えスイッチ１２３がその記憶媒体からそのコンピュータプログラムを読み出し、そのコンピュータプログラムに従って、上述のような動作を実行するようにすることも可能である。
【０１０５】
例えば、切り換えスイッチ１２３は、ディジタル信号処理プロセッサその他の制御装置により構成することができる。
【０１０６】
本明細書において、「記録媒体」の語は、データを記録することができるあらゆる媒体を含むものとする。
【０１０７】
記録媒体としては、例えば、不揮発性メモリの他に、ＣＤ−ＲＯＭ（Ｃｏｍｐａｃｔ  Ｄｉｓｋ−ＲＯＭ）やＰＤなどのディスク型の記憶媒体、磁気テープ（ＭＴ）、ＭＯ（Ｍａｇｎｅｔｏ  Ｏｐｔｉｃａｌ  Ｄｉｓｋ）、ＤＶＤ（Ｄｉｇｉｔａｌ  Ｖｅｒｓａｔｉｌｅ  Ｄｉｓｋ）、ＤＶＤ−ＲＯＭ（ＤＶＤ−Ｒｅａｄ  Ｏｎｌｙ  Ｍｅｍｏｒｙ）、ＤＶＤ−ＲＡＭ（ＤＶＤ−  Ａｃｃｅｓｓ  Ｍｅｍｏｒｙ）、フレキシブルディスク、ＲＡＭ（Ｒａｎｄｏｍ  Ａｃｃｅｓｓ  Ｍｅｍｏｒｙ）やＲＯＭ（Ｒｅａｄ  Ｏｎｌｙ  Ｍｅｍｏｒｙ）などのメモリーチップ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、スマートメディア（登録商標）、フラッシュメモリー、コンパクトフラッシュ（登録商標）カードなどの書き換え可能なカード型ＲＯＭ、ハードディスクまたは可搬型ＨＤＤがあり、その他プログラムの格納に適していれば、いかなる手段も用いることができる。
【図面の簡単な説明】
【０１０８】
【図１】本発明の第一の実施形態に係るバッテリー切り換え回路が適用される携帯電話装置の構造を示すブロック図である。
【図２】電源部の構造を示すブロック図である。
【図３】本発明の第一の実施形態におけるバッテリー部及びバッテリー切り換え回路の構造を示すブロック図である。
【図４】本発明の第一の実施形態におけるバッテリー切り換え回路の動作を示すフローチャートである。
【図５】本発明の第二の実施形態に係る携帯電話装置における電源部の構造を示すブロック図である。
【図６】本発明の第二の実施形態におけるバッテリー切り換え回路の動作を示すフローチャートである。
【図７】主バッテリーの他に予備バッテリーを備える従来の携帯型通信装置の一例のブロック図である。
【図８】従来の電源切り換え回路の一例のブロック図である。
【符号の説明】
【０１０９】
１  携帯電話装置
１０  電源部
２０  負荷部
１１  充電回路
１２  バッテリー切り換え回路
１２１  第一のスイッチ素子
１２２  第二のスイッチ素子
１２３  切り換えスイッチ
１２４  インバータ
１３  バッテリー部
１３１、１３１Ａ  第一のバッテリー
１３２  第二のバッテリー
３１  スイッチ部
【図１】
2005253255.tif 000003
【図２】
2005253255.tif 000004
【図３】
2005253255.tif 000005
【図４】
2005253255.tif 000006
【図５】
2005253255.tif 000007
【図６】
2005253255.tif 000008
【図７】
2005253255.tif 000009
【図８】
2005253255.tif 000010